(57)【要約】【課題】把持部を把持しながら、良好な操作性でコンテンツの撮影および編集を行うことができる撮像装置および撮影レンズを提供する。【解決手段】撮像装置１００は、ディスプレイ１０５と操作部１１１とグリップ１１６とＣＰＵ１０１とを有する。操作部１１１は、複数の撮影済みコンテンツのうち何れかを指定するスライド操作に用いられスライド方向に延在するタッチバー１１４と、撮影指示に用いられる第１のボタン１１３Ａと、再撮影指示に用いられる第２のボタン１１３Ｂとを含む。ＣＰＵ１０１は、タッチバー１１４に対するスライド操作に応じて表示内容を変化させる。スライド方向と直交する方向において、操作部１１１は、グリップ１１６とディスプレイ１０５との間に設けられ、第１のボタン１１３Ａおよび第２のボタン１１３Ｂはスライド方向タッチバー１１４とグリップ１１６との間に設けられる。スライド方向において、タッチバー１１４の一端部側に第１のボタン１１３Ａが設けられ、他端部側に第２のボタン１１３Ｂが設けられる。【選択図】図１
2020181099.tif 000002
【特許請求の範囲】
【請求項１】
表示部と、
把持部と、
複数の撮影済みコンテンツのうち何れかを指定するスライド操作に用いられスライド方向に延在するタッチ操作部と、撮影指示に用いられる第１の指示部と、再撮影指示に用いられる第２の指示部とを含む操作手段と、
前記タッチ操作部に対するスライド操作に応じて前記表示部の表示内容を変化させる制御手段と、
を備え、
前記タッチ操作部のスライド方向と直交する方向において、前記操作手段は前記把持部と前記表示部との間に設けられ、前記スライド方向と直交する方向において、前記第１の指示部および前記第２の指示部は前記タッチ操作部と前記把持部との間に設けられ、
前記タッチ操作部のスライド方向における一端部側に前記第１の指示部が設けられ、前記タッチ操作部のスライド方向における他端部側に前記第２の指示部が設けられていることを特徴とする撮像装置。
【請求項２】
前記スライド方向における前記第１の指示部と前記第２の指示部との間に操作部材が配置されていない所定の領域が設けられていることを特徴とする請求項１に記載の撮像装置。
【請求項３】
前記所定の領域に突起または窪みが形成されていることを特徴とする請求項２に記載の撮像装置。
【請求項４】
前記操作手段は、前記把持部を把持した手の指で操作可能な位置に設けられることを特徴とする請求項１乃至３のうち何れか１項に撮像装置。
【請求項５】
コンテンツの撮影を行う撮影部の撮影レンズが着脱可能であることを特徴とする請求項１乃至４のうち何れか１項に記載の撮像装置。
【請求項６】
前記制御手段は、前記複数の撮影済みコンテンツのそれぞれを示すサムネイル画像を時間軸に沿って並べて前記表示部に表示し、前記第１の指示部に対して前記撮影指示がされた場合、前記時間軸のうち最新の区域に、撮影されたコンテンツのサムネイル画像を追加することを特徴とする請求項１乃至５のうち何れか１項に記載の撮像装置。
【請求項７】
前記制御部は、前記第２の指示部に対して前記再撮影指示がされた場合、前記時間軸と異なる軸に、再撮影されたコンテンツを示すサムネイル画像を追加することを特徴とする請求項６に記載の撮像装置。
【請求項８】
前記時間軸の方向は、前記タッチ操作部が延在する方向と対応していることを特徴とする請求項６または７に記載の撮像装置。
【請求項９】
前記制御部は、前記第１の指示部と前記第２の指示部との配置に応じて、前記時間軸に沿って並べて表示された複数の前記サムネイル画像のうち何れかを指定するカーソルを移動させるか、または前記表示部に表示されている表示内容をスクロールさせることを特徴とする請求項８に記載の撮像装置。
【請求項１０】
前記制御部は、前記一端部または前記他端部に対するタッチ操作に応じて、前記カーソルを移動させるか、または前記表示内容をスクロールさせることを特徴とする請求項９に記載の撮像装置。
【請求項１１】
請求項１に記載の撮像装置に着脱可能である撮影レンズ。
【発明の詳細な説明】
【技術分野】
【０００１】
本発明は、把持部を有する撮像装置および撮影レンズに関する。
【背景技術】
【０００２】
近年、ユーザが、撮像装置を用いて撮影した動画コンテンツをインターネット上にアップロードし、アップロードされた動画コンテンツを公開するサービスが普及している。ユーザは、動画の撮影を行う際に、動画の撮り直し（所謂リテイク）を行うことがある。また、近年、ユーザが片手で把持可能な携帯型の撮像装置も普及している。関連する技術として、特許文献１および特許文献２の技術が提案されている。
【０００３】
特許文献１の撮影装置では、カメラ本体の下面に斜めにグリップ部が取り付けられている。また、カメラ本体の背面側には、電源スイッチやメニューボタン、モード切り替えスイッチ、ズーム切り替えスイッチ等を含む操作パネルが設けられている。特許文献２の支持装置では、グリップ本体とビデオカメラ装置が固定される雲台とがリンク部によって連結されている。また、グリップ本体の背面部上側に形成された面取り部には、操作部が形成されている。そして、該操作部には、動画を記録するための記録開始釦、静止画を記録するための記録釦およびレンズ部をワイド／テレ方向に操作するための操作釦が設けられている。
【先行技術文献】
【特許文献】
【０００４】
【特許文献１】特開２００６−３４５４１９号公報
【特許文献２】特開２０１０−２８２３０号公報
【発明の概要】
【発明が解決しようとする課題】
【０００５】
しかしながら、特許文献１の撮像装置や特許文献２の支持装置には、電源スイッチや記録開始釦等が設けられているものの、コンテンツに対する編集を指示する機能は設けられていない。従って、特許文献１および特許文献２の技術では、グリップを把持しながら、良好な操作性でコンテンツの撮影および編集を行うことは難しい。
【０００６】
本発明は、把持部を把持しながら、良好な操作性でコンテンツの撮影および編集を行うことができる撮像装置および撮影レンズを提供することを目的とする。
【課題を解決するための手段】
【０００７】
上記目的を達成するために、本発明の撮像装置は、表示部と、把持部と、複数の撮影済みコンテンツのうち何れかを指定するスライド操作に用いられスライド方向に延在するタッチ操作部と、撮影指示に用いられる第１の指示部と、再撮影指示に用いられる第２の指示部とを含む操作手段と、前記タッチ操作部に対するスライド操作に応じて前記表示部の表示内容を変化させる制御手段と、を備え、前記タッチ操作部のスライド方向と直交する方向において、前記操作手段は前記把持部と前記表示部との間に設けられ、前記スライド方向と直交する方向において、前記第１の指示部および前記第２の指示部は前記タッチ操作部と前記把持部との間に設けられ、前記タッチ操作部のスライド方向における一端部側に前記第１の指示部が設けられ、前記タッチ操作部のスライド方向における他端部側に前記第２の指示部が設けられていることを特徴とする。
【発明の効果】
【０００８】
本発明によれば、把持部を把持しながら、良好な操作性でコンテンツの撮影および編集を行うことができる。
【図面の簡単な説明】
【０００９】
【図１】本実施形態に係る撮像装置を示す図である。
【図２】ディスプレイに表示される画面例を示す図である。
【図３】第１実施形態の処理の流れを示すフローチャートである。
【図４】第１実施形態のタイムライン処理の流れを示すフローチャートである。
【図５】第１実施形態における画面の遷移例を説明する図である。
【図６】図５（Ｂ）からの画面の遷移例を説明する図である。
【図７】図５（Ａ）からの画面の遷移例を説明する図である。
【図８】第２実施形態のタイムライン処理の流れを示すフローチャートである。
【図９】第２実施形態における画面の遷移例を説明する図である。
【図１０】図９（Ａ）からの画面の遷移例を説明する図である。
【図１１】第３実施形態のタイムライン処理の流れを示すフローチャートである。
【発明を実施するための形態】
【００１０】
以下、本発明の実施形態について図面を参照しながら詳細に説明する。しかしながら、以下の各実施の形態に記載されている構成はあくまで例示に過ぎず、本発明の範囲は各実施の形態に記載されている構成によって限定されることはない。
【００１１】
＜第１実施形態＞
図１は、本実施形態に係る撮像装置１００を示す図である。図１（Ａ）は、本実施形態に係る撮像装置１００のハードウェア構成図である。図１（Ａ）において、撮像装置１００は内部バス１５０を有しており、内部バス１５０に対してＣＰＵ１０１、メモリ１０２、不揮発性メモリ１０３、コンテンツ管理部１０４およびディスプレイ１０５が接続されている。また、内部バス１５０には、受付部１０６、表示制御部１０７、記録媒体Ｉ／Ｆ１０８、外部Ｉ／Ｆ１０９および撮影部１１０が接続されている。内部バス１５０に接続される各部は、内部バス１５０を介して互いにデータの授受を行うことが可能である。
【００１２】
メモリ１０２は、例えばＲＡＭ（半導体素子を利用した揮発性のメモリ）である。制御部としてのＣＰＵ１０１は、例えば不揮発性メモリ１０３に格納されるプログラムに従い、メモリ１０２をワークメモリとして用いて、撮像装置１００の各部を制御する。不揮発性メモリ１０３には、コンテンツデータ（以下、単にコンテンツとする）や音声データ、その他のデータ、ＣＰＵ１０１が動作するための各種プログラム等が格納される。不揮発性メモリ１０３は例えばハードディスクドライブ（ＨＤＤ）やＲＯＭなどである。なお、後述する撮像装置１００の機能や処理は、ＣＰＵ１０１が不揮発性メモリ１０３に格納されているプログラムを読み出し、読み出されたプログラムを実行することにより実現される。
【００１３】
コンテンツ管理部１０４は、例えば、ＣＰＵ１０１の制御に基づいて、コンテンツに対して、グルーピングや編集等の各種処理を施す。コンテンツは、例えば、不揮発性メモリ１０３や記録媒体Ｉ／Ｆ１０８を介して接続される記録媒体に格納されるデータであってもよい。また、コンテンツは、撮影部１１０が取得したデータであってもよい。また、コンテンツは、外部Ｉ／Ｆ１０９を介して、外部装置から取得したデータであってもよい。コンテンツ管理部１０４が行う編集処理には、データ同士の結合や分割、新たなデータの生成や削除、Ａ／Ｄ変換処理、Ｄ／Ａ変換処理等が含まれる。また、コンテンツ管理部１０４が行う編集処理には、コンテンツの符号化処理や圧縮処理、デコード処理、拡大／縮小処理（リサイズ）、ノイズ低減処理、色変換処理等が含まれる。
【００１４】
ディスプレイ１０５は、表示制御部１０７の制御に基づいて、画像やＧＵＩ（Ｇｒａｐｈｉｃａｌ  Ｕｓｅｒ  Ｉｎｔｅｒｆａｃｅ）を構成するＧＵＩ画面等を表示する表示部である。以下、ディスプレイ１０５は、タッチパネルディスプレイであるものとして説明する。つまり、ディスプレイ１０５は、入力機能を有する。ただし、ディスプレイ１０５の入力機能は、ディスプレイ１０５とは別に撮像装置１００に設けられていてもよい。
【００１５】
受付部１０６は、ボタンやタッチバー、ダイヤル、ジョイステック等、ユーザによる入力を受け付ける機構である。記録媒体Ｉ／Ｆ１０８は、メモリカードやＣＤ、ＤＶＤ等の記録媒体が装着可能であり、ＣＰＵ１０１の制御に基づいて、装着された記録媒体からのデータの読み出しや、記録媒体に対するデータの書き込みを行う。外部Ｉ／Ｆ１０９は、有線ケーブルや無線を介して外部機器と接続し、映像信号や音声信号の入出力を行うためのインターフェースである。撮影部１１０はカメラであり、コンテンツを撮影するユニットである。
【００１６】
図１（Ｂ）は、本実施形態の撮像装置１００の外観図を示す。図１（Ｂ）では、撮像装置１００としてデジタル・ビデオ・カムコーダーの例を示しているが、撮像装置１００は、デジタル・ビデオ・カムコーダーには限定されない。撮像装置１００は、撮影者等のユーザが、片手で把持可能な撮像装置である。撮像装置１００は、撮影部１１０、ディスプレイ１０５、操作部１１１およびグリップ１１６を有する。図１（Ｂ）に示されるように、ディスプレイ１０５の表示面と操作部１１１とは同じ側に設けられている。操作部１１１は、第１のボタン１１３Ａ、第２のボタン１１３Ｂおよびタッチバー１１４を有する。第１のボタン１１３Ａと第２のボタン１１３Ｂとの間には、操作部材が配置されていないサムレスト領域１１５が設けられている。
【００１７】
ユーザは、撮像装置１００のグリップ１１６を片手で把持しながら、コンテンツの撮影を行うことができる。コンテンツは、動画であってもよいし、静止画であってもよい。図１（Ｂ）の例では、撮影部１１０とディスプレイ１０５と操作部１１１とグリップ１１６とが、図中のＺ方向に沿って配列されている。把持部としてのグリップ１１６は、Ｚ方向に延出するように構成されている。グリップ１１６が延出する方向はＺ方向ではなく、図１（Ｂ）のＸＺ平面と直交する方向に傾斜していてもよい。撮影部１１０は可動式のカメラである。撮影部１１０の撮影レンズ１１０Ａは、撮影装置１００から着脱可能に交換することができる。撮像装置１００を操作するユーザは、グリップ１１６を把持して、把持した手の指で操作部１１１の各部を操作することができる。以下、操作部１１１の各部に対する操作は、ユーザの親指でされるものとして説明するが、操作部１１１の各部に対する操作は親指でされるものには限定されない。
【００１８】
操作部１１１について説明する。操作部１１１は、ディスプレイ１０５とグリップ１１６との間に設けられる。操作部１１１は、第１のボタン１１３Ａ、第２のボタン１１３Ｂおよびタッチバー１１４を含む。操作部１１１において、第１のボタン１１３Ａおよび第２のボタン１１３Ｂは、タッチバー１１４とグリップ１１６との間に設けられる。
【００１９】
第１のボタン１１３Ａと第２のボタン１１３Ｂとは、何れか一方がテイクボタンとして機能し、他方がリテイクボタンとして機能する。テイクボタンは、コンテンツの撮影指示に用いられる。リテイクボタンは、コンテンツの再撮影指示に用いられる。第１実施形態では、第１のボタン１１３Ａがテイクボタンとして機能し、第２のボタン１１３Ｂがリテイクボタンとして機能するものとして説明する。第１のボタン１１３Ａがテイクボタンとして機能する場合、第１のボタン１１３Ａが、撮影指示に用いられる第１の指示部となる。第２のボタン１１３Ｂがリテイクボタンとして機能する場合、第２のボタン１１３Ｂが、再撮影指示に用いられる第２の指示部となる。第１のボタン１１３Ａの機能と第２のボタン１１３Ｂの機能とは、例えば、ＣＰＵ１０１の制御により、入れ替えることができる。なお、第１のボタン１１３Ａの機能と第２のボタン１１３Ｂの機能とは固定されたものであってもよい。例えば、第１のボタン１１３Ａはテイクボタンとしてのみ機能し、第２のボタン１１３Ｂはリテイクボタンとしてのみ機能してもよい。
【００２０】
タッチバー１１４は、タッチ操作を受け付けることが可能なライン状のタッチ操作部であり、例えば、ラインタッチセンサである。タッチバー１１４が延在する方向は、スライド方向である。スライド方向は、スライド操作がされる方向であり、図１（Ｂ）の例ではＸ方向である。Ｚ方向を縦方向、Ｘ方向を横方向とすると、タッチバー１１４は横長の部材である。タッチバー１１４のＸ方向における２つの端部のうち一方を右端部１１４Ａとし、他方を左端部１１４Ｂとする。右端部１１４Ａおよび左端部１１４Ｂは、それぞれ、一端部または他端部の何れかに対応する。タッチバー１１４は、タップ操作やスライド操作、ダブルタップ操作等を受け付けて、受け付けた操作の情報をＣＰＵ１０１に出力する。タップ操作は、タッチバー１１４に指でタッチしてから所定時間以内に移動することなく指を離す操作である。スライド操作は、タッチバー１１４に指でタッチしてから、タッチしたままタッチ位置をＸ方向に移動する操作である。ダブルタップ操作は、タッチバー１１４を指で素早く（一定時間以内に）２回連続タッチする操作である。
【００２１】
上述したように、第１のボタン１１３Ａおよび第２のボタン１１３Ｂは、タッチバー１１４とグリップ１１６との間に設けられる。そして、第１のボタン１１３Ａは、タッチバー１１４の右端部１１４Ａの側（一端部側）に設けられ、第２のボタン１１３Ｂは、タッチバー１１４の左端部１１４Ｂの側（他端部側）に設けられる。例えば、第１のボタン１１３Ａは、タッチバー１１４の右端部１１４Ａから所定範囲内の近傍の位置に設けられる。また、第２のボタン１１３Ｂは、タッチバー１１４の左端部１１４Ｂから所定範囲内の近傍の位置に設けられる。
【００２２】
タッチバー１１４は、ディスプレイ１０５に表示されるタイムライン画像やカーソルを操作するための部材である。タイムライン画像およびカーソルについての詳細は後述する。タッチバー１１４に対する操作に応じて、ＣＰＵ１０１は、ディスプレイ１０５の表示内容を変化させる。タッチバー１１４は、ディスプレイ１０５とは異なる操作部材であり、表示機能を有していない。
【００２３】
第１のボタン１１３Ａ、第２のボタン１１３Ｂおよびタッチバー１１４は、グリップ１１６のうち操作部１１１に最も近い位置から一定の範囲内に配置されている。つまり、第１のボタン１１３Ａ、第２のボタン１１３Ｂおよびタッチバー１１４は、ユーザがグリップ１１６を把持した状態で、把持した手の親指が到達可能な位置（操作可能な位置）に配置されている。ここで、国立研究開発法人産業技術総合研究所のデータによれば、日本人の第１指背側長の５％タイル値は男性が「５０．１ｍｍ」、女性が「４６.２ｍｍ」である。従って、第１のボタン１１３Ａ、第２のボタン１１３Ｂおよびタッチバー１１４は、グリップ１１６のうち最も操作部１１１に近い位置から「４６.２ｍｍ」半径以内に配置される。これにより、ユーザは、グリップ１１６を把持したまま、把持した手の親指で、第１のボタン１１３Ａ、第２のボタン１１３Ｂおよびタッチバー１１４を操作することができる。
【００２４】
また、撮像装置１００は、電源キー１１７、ホームキー１１８およびメニューキー１１９を有する。電源キー１１７は、電源投入または電源切断を指示するためのキーである。ホームキー１１８は、ディスプレイ１０５上に所定のホーム画面を表示させるためのものキーである。メニューキー１１９は、ディスプレイ１０５上に所定のメニュー画面を表示させるためのキーである。
【００２５】
図２は、ディスプレイ１０５に表示される画面例を示す図である。図２（Ａ）は、ディスプレイ１０５にライブビュー画像２０１が表示されている例を示す。図２（Ｂ）は、表示内容としてのタイムライン画像２２０の一例を示し、図２（Ｃ）は、図２（Ｂ）の拡大図を示す。タイムライン画像２２０は、時間の流れを１つの軸（時間軸）にとり、時間軸に沿って複数の区域（２３１、２３２、・・・）を時系列に並べた画像である。メインライン２２１は時間軸を表し、メインライン２２１の各区域には、コンテンツを示すサムネイル画像が時系列に並べられて表示される。同一のグループに属するコンテンツのサムネイル画像は、メインライン２２１と異なる軸（テイク軸）に沿って並べられている。各実施形態では、メインライン２２１とテイク軸とは直交しているものとする。同一のグループに属する複数のコンテンツのうち何れか１つを示すサムネイル画像を、所定の操作により、メインライン２２１に位置させることができる。
【００２６】
タイムライン画像２２０は、タッチバー１１４を用いたユーザのスライド操作により、時間が進む方向または戻る方向にスクロールする。タイムライン画像２２０において、サムネイル画像の１つがカーソル２２２で強調表示される。カーソル２２２は、その時点において何れのコンテンツが選択されているかを示すものであり、メインライン２２１における複数のサムネイル画像のうち１つを指定するために用いられる。サムネイル画像が指定されることにより、複数のコンテンツのうち何れかが指定される。
【００２７】
図３は、本実施形態に係る処理の流れを示すフローチャートである。ＣＰＵ１０１は、ディスプレイ１０５にライブビュー画像２０１を表示させる（Ｓ３０１）。そして、ＣＰＵ１０１は、ユーザにより、テイクボタンとして機能する第１のボタン１１３Ａが押下操作されたかを判定する（Ｓ３０２）。以下、第１のボタン１１３Ａまたは第２のボタン１１３Ｂに対する押下操作を、単に操作とする。Ｓ３０２でＹｅｓと判定された場合、ＣＰＵ１０１は、新規グループＩＤを生成する（Ｓ３０３）。ＩＤは、識別情報を示す。そして、撮影部１１０はコンテンツの撮影を行う（Ｓ３０４）。その後、ＣＰＵ１０１は、テイクボタンとして機能する第１のボタン１１３Ａが操作されたかを判定する（Ｓ３０５）。Ｓ３０５でＮｏと判定された場合、フローはＳ３０４に戻り、コンテンツの撮影が継続される。Ｓ３０５でＹｅｓと判定された場合、ＣＰＵ１０１は、コンテンツの撮影の終了が指示されたと判定し、ファイルクローズ処理を行う（Ｓ３０６）。このとき、ＣＰＵ１０１は、撮影したコンテンツを単一のデータファイルとして記録し、データファイルに対して、Ｓ３０３で生成したグループＩＤを付与する。以上により、新規コンテンツの撮影が行われる。そして、フローは、「Ｃ」からＳ３０７に移行する。
【００２８】
ＣＰＵ１０１は、ディスプレイ１０５にタイムライン画像２２０を表示する（Ｓ３０７）。そして、ＣＰＵ１０１は、第１のボタン１１３Ａまたは第２のボタン１１３Ｂが操作されたかを判定する（Ｓ３０８）。Ｓ３０８でＹｅｓと判定された場合、フローは、「Ｂ」からＳ３０２に移行する。Ｓ３０８でＮｏと判定された場合、ＣＰＵ１０１は、タッチバー１１４に対する操作がされたかを判定する（Ｓ３０９）。Ｓ３０９でＹｅｓと判定された場合、ＣＰＵ１０１は、タイムライン処理を行う（Ｓ３１０）。タイムライン処理の詳細については、後述する。タイムライン処理が行われた後、フローは「Ｄ」からＳ３０１に移行する。Ｓ３０９でＮｏと判定された場合、ＣＰＵ１０１は、所定時間が経過したかを判定する（Ｓ３１１）。所定時間は、任意に設定可能である。Ｓ３１１でＹｅｓと判定された場合、フローは「Ｄ」からＳ３０１に移行する。これにより、ディスプレイ１０５にはライブビュー画像２０１が表示される。Ｓ３１１でＮｏと判定された場合、フローはＳ３０８に移行する。
【００２９】
Ｓ３０２でＮｏと判定された場合、つまりテイクボタンとして機能する第１のボタン１１３Ａが操作されていない場合、ＣＰＵ１０１は、リテイクボタンとして機能する第２のボタン１１３Ｂが操作されたかを判定する（Ｓ３１２）。Ｓ３１２でＹｅｓと判定された場合、ＣＰＵ１０１は、既に撮影済みであり、再撮影（リテイク）の対象となるコンテンツのデータファイル（以下、「リテイク対象ファイル」という）が不揮発性メモリ１０３に有効に存在しているかを判定する（Ｓ３１３）。リテイク対象ファイルが不揮発性メモリ１０３に有効に存在しているかは、上述したグループＩＤの有無により判定することができる。例えば、不揮発性メモリ１０３にコンテンツのデータファイルが記憶されていない状態で、リテイクボタンとして機能する第２のボタン１１３Ｂが操作された場合、Ｓ３１３でＮｏと判定される。この場合、フローは、「Ａ」からＳ３０３に移行する。
【００３０】
Ｓ３１３でＹｅｓと判定された場合、ＣＰＵ１０１は、リテイク対象ファイルに付与されているグループＩＤを取得する（Ｓ３１４）。そして、撮影部１１０は、コンテンツの撮影を行う（Ｓ３１５）。その後、ＣＰＵ１０１は、テイクボタンとして機能する第１のボタン１１３Ａまたはリテイクボタンとして機能する第２のボタン１１３Ｂが操作されたかを判定する（Ｓ３１６）。Ｓ３１６でＮｏと判定された場合、フローはＳ３１５に戻り、コンテンツの撮影が繰り返される。Ｓ３１６でＹｅｓと判定された場合、ＣＰＵ１０１は、ファイルクローズ処理を行う（Ｓ３１７）。このとき、ＣＰＵ１０１は、撮影したコンテンツを単一のデータファイルとして記録し、データファイルにＳ３１４で取得したグループＩＤを付与する。以上により、コンテンツの再撮影（撮り直し）が行われる。そして、フローは、「Ｃ」からＳ３０７に移行する。
【００３１】
Ｓ３１２でＮｏと判定された場合、第１のボタン１１３Ａも第２のボタン１１３Ｂも操作されていない。この場合、ＣＰＵ１０１は、タッチバー１１４へのタッチ操作があったかを判定する（Ｓ３１８）。Ｓ３１８でＹｅｓと判定された場合、ＣＰＵ１０１は、ディスプレイ１０５にタイムライン画像２２０を表示する（Ｓ３１９）。そして、ＣＰＵ１０１は、後述するタイムライン処理を行う（Ｓ３２０）。Ｓ３１８でＮｏと判定された場合、またはＳ３２０の処理が行われた後、ＣＰＵ１０１は、所定の終了条件を満たしているかを判定する（Ｓ３２１）。Ｓ３２１でＹｅｓと判定された場合、図３のフローチャートは終了する。Ｓ３２１でＮｏと判定された場合、フローは、「Ｄ」からＳ３０１に移行する。例えば、電源キー１１７が操作されて電源が切断された場合に、ＣＰＵ１０１は、所定の条件が満たされたと判定してもよい。
【００３２】
次に、図３のＳ３１０およびＳ３２０のタイムライン処理について説明する。上述したように、第１実施形態では、第１のボタン１１３Ａがテイクボタンとして機能し、第２のボタン１１３Ｂがリテイクボタンとして機能する。図４は、第１実施形態のタイムライン処理の流れを示すフローチャートである。
【００３３】
タイムライン処理が開始すると、ＣＰＵ１０１は、タイムライン画像２２０をディスプレイ１０５に表示する（Ｓ３３１）。ＣＰＵ１０１は、タッチバー１１４に対してダブルタップ操作がされたかを判定する（Ｓ３３２）。Ｓ３３２でＹｅｓと判定された場合、ＣＰＵ１０１は、カーソル２２２が位置しているサムネイル画像のコンテンツを再生する制御を行う（Ｓ３３３）。コンテンツが再生された後、ＣＰＵ１０１は、メインライン２２１に次のコンテンツがあるかを判定する（Ｓ３３４）。Ｓ３３４でＹｅｓと判定された場合、ＣＰＵ１０１は、メインライン２２１上の次のコンテンツにカーソル２２２を移動する（Ｓ３３５）。そして、フローは、Ｓ３３３に移行し、次のコンテンツが再生される。Ｓ３３４でＮｏと判定された場合、次に再生するコンテンツがないため、ＣＰＵ１０１は、再生を開始した時点のコンテンツにカーソル２２２を移動する（Ｓ３３６）。以上により、メインライン２２１上にある各サムネイルのコンテンツが順次再生される。そして、フローは「Ｅ」からＳ３３２に移行する。
【００３４】
Ｓ３３２でＮｏと判定された場合、タッチバー１１４に対してダブルタップ操作がされていない。この場合、ＣＰＵ１０１は、タッチバー１１４に対するスライド操作があったかを判定する（Ｓ３３７）。Ｓ３３７でＹｅｓと判定された場合、ＣＰＵ１０１は、カーソル２２２が、ディスプレイ１０５に表示されているタイムライン画像２２０の端部の区域（ディスプレイ１０５の端部の区域）に位置しているかを判定する（Ｓ３３８）。上述したように、タイムライン画像２２０のメインライン２２１には時間の流れに沿って複数の区域が設けられており、メインライン２２１には複数のサムネイル画像が表示される。ここで、メインライン２２１の方向におけるサムネイル画像の数によっては、タイムライン画像２２０の全てをディスプレイ１０５に表示することが難しい場合がある。この場合、ディスプレイ１０５には、タイムライン画像２２０の領域の一部が表示される。カーソル２２２がディスプレイ１０５の端部の区域にまで至っていない場合、Ｓ３３８でＮｏと判定される。この場合、タッチバー１１４に対してスライド操作がされていることから、ＣＰＵ１０１は、タッチバー１１４に対して行われたスライド操作のスライド方向と同じ方向にカーソル２２２を移動する（Ｓ３３９）。
【００３５】
一方、Ｓ３３８でＹｅｓと判定された場合、カーソル２２２は、ディスプレイ１０５の端部の区域に位置している。この場合、ＣＰＵ１０１は、スライド操作のスライド方向と同じ方向に、ディスプレイ１０５に表示されていないタイムライン画像２２０の領域が続いているかを判定する（Ｓ３４０）。Ｓ３４０でＮｏと判定された場合、カーソル２２２は、メインライン２２１のうち先頭または最新の区域に位置している。メインライン２２１のうち最新の区域のサムネイル画像は、最新のコンテンツを示すサムネイル画像である。先頭の区域のサムネイル画像は、最初に撮影されたコンテンツを示すサムネイル画像である。Ｓ３４０でＮｏと判定された場合、ディスプレイ１０５に表示されているタイムライン画像２２０に続く領域がないため、フローは「Ｅ」からＳ３３２に移行する。Ｓ３４０でＹｅｓと判定された場合、ディスプレイ１０５に表示されているタイムライン画像２２０に続く領域がある。従って、ＣＰＵ１０１は、タイムライン画像２２０をスライド操作のスライド方向と反対方向にスクロールする（Ｓ３４１）。これにより、スクロールされたタイムライン画像２２０がディスプレイ１０５に表示される。そして、フローは「Ｅ」からＳ３３２に移行する。
【００３６】
Ｓ３３７でＮｏと判定された場合、タッチバー１１４に対してダブルタップ操作もスライド操作もされていない。この場合、ＣＰＵ１０１は、タッチバー１１４以外の操作部材が操作されたかを判定する（Ｓ３４２）。Ｓ３４２でＮｏと判定された場合、フローは、「Ｅ」からＳ３３２に移行する。Ｓ３４２でＹｅｓと判定された場合、タイムライン処理は終了する。
【００３７】
図５乃至図７は、タッチバー１１４に対してスライド操作がされたときの画面の遷移例を示す図である。図５（Ａ）の状態で、ディスプレイ１０５には、タイムライン画像２２０が表示されている。カーソル２２２は、メインライン２２１の中央に位置している。この状態で、ユーザが、タッチバー１１４に対して、第２のボタン１１３Ｂから第１のボタン１１３Ａに向かう方向（以下、右方向とする）にスライド操作を行ったとする。右方向は、メインライン２２１において時間を進める方向に対応する。タッチバー１１４に対する右方向のスライド操作により、図５（Ｂ）に示されるように、メインライン２２１におけるカーソル２２２が１区域分移動する。これにより、カーソル２２２は、メインライン２２１における次のコンテンツ（１つ新しいコンテンツ）を表すサムネイル画像の上に位置する。さらに、図５（Ｂ）の状態から、ユーザが、タッチバー１１４を右方向にスライド操作を行ったとする。タッチバー１１４に対するスライド操作により、図６（Ａ）に示されるように、カーソル２２２が１区域分移動する。
【００３８】
図６（Ａ）の状態では、カーソル２２２はディスプレイ１０５の端部の区域に位置している。ここで、図６（Ａ）の状態では表示されていないが、タイムライン画像２２０にはさらに新しい領域が続いているとする。図６（Ａ）の状態から、ユーザが右方向にスライド操作を行うと、ＣＰＵ１０１は、スライド操作された方向と反対方向（左方向）にタイムライン画像２２０を１区域分スクロールさせる。このとき、カーソル２２２の位置は変わらない。左方向は、メインライン２２１において時間を戻す方向に対応する。これにより、図６（Ｂ）に示されるタイムライン画像２２０がディスプレイ１０５に表示される。ここで、図６（Ｂ）の状態では、タイムライン画像２２０の最新の区域にカーソル２２２が位置し、さらにタイムライン画像２２０の新たな領域が続いていないとする。これにより、最新のコンテンツを示すサムネイル画像の上にカーソル２２２が位置している状態となる。
【００３９】
図５および図６で示したメインライン２２１の方向は、図１（Ｂ）で示されるように、タッチバー１１４が延在する方向と対応している。例えば、メインライン２２１の方向とタッチバー１１４が延在する方向とは平行である。ユーザがタッチバー１１４に対して右方向にスライド操作を行うことで、ディスプレイ１０５に表示されているカーソル２２２を右方向（時間が進む方向）に移動させることができる。従って、ユーザによるタッチバー１１４に対する右方向のスライド操作により、カーソル２２２をメインライン２２１の最新の区域に移動させることができる。
【００４０】
新規にコンテンツを追加する場合、ユーザは、カーソル２２２をメインライン２２１の最新の区域に移動させた後、テイクボタンとして機能する第１のボタン１１３Ａを操作する。つまり、グリップ１１６を把持しているユーザは、把持している手の親指でタッチバー１１４に対して右方向のスライド操作を行った後に、第１のボタン１１３Ａを操作する。第１のボタン１１３Ａは、タッチバー１１４の右端部１１４Ａの側の近傍の位置に配置されている。従って、ユーザは、撮影（テイク）を行う際に、撮像装置１００を把持している手の親指で右方向のスライド操作を行った後、そのままスムーズに、テイクボタンとして機能する第１のボタン１１３Ａに親指を移すことができる。以上のような構成を採用することにより、非常に良好な操作性で、ユーザは撮影操作を行うことができる。
【００４１】
一方、図５（Ａ）のタイムライン画像２２０が表示されている状態で、タッチバー１１４に対して、右端部１１４Ａから左端部１１４Ｂに向けた方向（左方向）にスライド操作がされたとする。この場合、カーソル２２２は、左方向に１区域分だけ移動する。図７（Ａ）は、図５（Ａ）の状態から、ユーザによるタッチバー１１４に対する左方向のスライド操作により、カーソル２２２が左方向に移動したタイムライン画像２２０を示している。図７（Ａ）の状態から、タッチバー１１４に対して、ユーザによる左方向のスライド操作がされると、カーソル２２２は、図７（Ｂ）に示されるように、メインライン２２１の左方向に１区域分移動する。タッチバー１１４に対して左方向のスライド操作がされるごとに、メインライン２２１におけるカーソル２２２の位置は、１区域分ずつ、タイムライン画像２２０の先頭の方向（時間的に戻る方向）に向けて移動する。
【００４２】
図７（Ｂ）において、カーソル２２２はディスプレイ１０５の端部の区域に位置している。図７（Ｂ）のカーソル２２２の位置が、メインライン２２１における先頭の区域の位置であるとする。この場合、時間的に戻る方向にタイムライン画像２２０の領域は続いていない。以上のように、ユーザが、タッチバー１１４に対して左方向のスライド操作を行うことで、メインライン２２１における先頭の区域、または先頭の区域に至るまでの何れかの区域にカーソル２２２が表示される。
【００４３】
従って、グリップ１１６を把持しているユーザは、把持している手の親指で左方向のスライド操作を行って、再撮影（リテイク）する対象のコンテンツのサムネイル画像にカーソル２２２を位置させることができる。上述したように、リテイクボタンとして機能する第２のボタン１１３Ｂは、タッチバー１１４の左端部１１４Ｂに対応する近傍の位置に設けられている。従って、ユーザは、タッチバー１１４に対するスライド操作を行った親指を、そのまま第２のボタン１１３Ｂにスムーズに移すことができる。これにより、ユーザは、非常に良好な操作性で、再撮影（リテイク）操作を行うことができる。
【００４４】
リテイクボタンとして機能する第２のボタン１１３Ｂが操作されると、ＣＰＵ１０１は、再撮影したコンテンツ（動画または静止画）のサムネイル画像を、テイク軸に追加する。テイク軸は、時間軸としてのメインライン２２１と直交する軸である。図７等に示されるように、タイムライン画像２２０におけるメインライン２２１は、テイク軸の中央に位置している。ＣＰＵ１０１は、メインライン２２１を基準として、グリップ１１６側の領域（以下、下側の領域とする）に再撮影したサムネイル画像を追加する。
【００４５】
上述したように、撮像装置１００において、ディスプレイ１０５とグリップ１１６との間に操作部１１１が設けられている。そして、操作部１１１において、タッチバー１１４とグリップ１１６との間にテイクボタンとして機能する第１のボタン１１３Ａおよびリテイクボタンとして機能する第２のボタン１１３Ｂが設けられている。そして、テイクボタンとして機能する第１のボタン１１３Ａは、タッチバー１１４の右端部１１４Ａの近傍の位置に設けられ、リテイクボタンとして機能する第２のボタン１１３Ｂは、タッチバー１１４の右端部１１４Ａの近傍の位置に設けられる。撮像装置１００において、操作部１１１が上述した配置となっているため、コンテンツの撮影および編集を行う際の操作部１１１１の各部の操作をスムーズに行うことができる。これにより、ユーザが、グリップ１１６を把持しながらコンテンツの撮影および編集を行う際の操作性が大幅に向上する。
【００４６】
次に、サムレスト領域１１５について説明する。図１（Ｂ）に示されるように、第１のボタン１１３Ａと第２のボタン１１３Ｂとの間にはサムレスト領域１１５が設けられる。サムレスト領域１１５は、操作を行っていないときにユーザの親指を置くために設けられる所定の領域であり、サムレスト領域１１５には、操作部材が設けられていない。上述したように、ユーザは、グリップ１１６を片手で把持し、把持した手の親指で第１のボタン１１３Ａ、第２のボタン１１３Ｂおよびタッチバー１１４の操作を行う。サムレスト領域１１５は、Ｚ方向においてはタッチバー１１４とグリップ１１６との間であって、Ｘ方向においては第１のボタン１１３Ａと第２のボタン１１３Ｂとの間に設けられる。
【００４７】
グリップ１１６を把持しているユーザが、親指をサムレスト領域１１５に置く際に、第１のボタン１１３Ａ、第２のボタン１１３Ｂおよびタッチバー１１４に親指が接触することはない。また、サムレスト領域１１５が上述した位置に設けられることで、ユーザは、親指をサムレスト領域１１５に置いた状態から、素早く、第１のボタン１１３Ａ、第２のボタン１１３Ｂまたはタッチバー１１４に移すことができる。
【００４８】
ここで、国立研究開発法人産業技術総合研究所のデータによれば、日本人の第１指爪中央指幅の９５％タイル値は男性が「１９．４ｍｍ」、女性が「１７．０ｍｍ」である。従って、サムレスト領域１１５は、「１９．４ｍｍ」径以上の領域であることが好ましい。また、サムレスト領域１１５の中央部または周縁部に１以上の窪みや突起が設けられていてもよい。この場合、ユーザは、サムレスト領域１１５に親指を置いたことを触覚で認識することができる。以上より、サムレスト領域１１５が撮像装置１００に設けられることで、コンテンツ撮影およびコンテンツ編集の操作性がより向上する。
【００４９】
＜第２実施形態＞
次に、図１（Ｂ）における第１のボタン１１３Ａがリテイクボタンとして機能し、第２のボタン１１３Ｂがテイクボタンとして機能する場合について説明する。上述したように、第１のボタン１１３Ａの機能と第２のボタン１１３Ｂの機能とは、例えば、ＣＰＵ１０１の制御により、入れ替えることができる。従って、第２実施形態では、第１実施形態における第１のボタン１１３Ａの機能と第２のボタン１１３Ｂの機能とが入れ替わっている。なお、第１のボタン１１３Ａの機能と第２のボタン１１３Ｂの機能とは固定されたものであってもよい。例えば、第１のボタン１１３Ａはリテイクボタンとしてのみ機能し、第２のボタン１１３Ｂはテイクボタンとしてのみ機能してもよい。
【００５０】
第２実施形態では、テイクボタンとして機能する第２のボタン１１３Ｂが、第１の指示部に対応する。また、リテイクボタンとして機能する第１のボタン１１３Ａが、第２の指示部に対応する。例えば、ＣＰＵ１０１が、第１のボタン１１３Ａにリテイクボタンとしての機能を割り当て、第２のボタン１１３Ｂにテイクボタンとしての機能を割り当てることができる。第１のボタン１１３Ａがリテイクボタンとして機能し、第２のボタン１１３Ｂがテイクボタンとして機能する場合、タイムライン処理の内容が第１実施形態と異なる。
【００５１】
図８を参照して、第２実施形態のタイムライン処理の流れについて説明する。ＣＰＵ１０１は、タイムライン画像２２０をディスプレイ１０５に表示する（Ｓ３５１）。そして、ＣＰＵ１０１は、タッチバー１１４に対してダブルタップ操作されたかを判定する（Ｓ３５２）。Ｓ３５２でＹｅｓと判定された場合、ＣＰＵ１０１は、カーソル２２２が表示されているサムネイル画像が示すコンテンツを再生する（Ｓ３５３）。そして、ＣＰＵ１０１は、メインライン２２１上に次のコンテンツがあるかを判定する（Ｓ３５４）。Ｓ３５４でＹｅｓと判定された場合、次のコンテンツがあるため、カーソル２２２を次のコンテンツに移動する（Ｓ３５５）。そして、フローは、Ｓ３５３に移行する。以上により、メインライン２２１の各サムネイル画像のコンテンツが順次再生される。Ｓ３５４でＮｏと判定された場合、ＣＰＵ１０１は、コンテンツの再生を開始した時点のコンテンツにカーソル２２２を移動する（Ｓ３５６）。そして、フローは、「Ｆ」からＳ３５２に移行し、タイムライン画像２２０が表示された後の状態に戻る。Ｓ３５３からＳ３５６までの各処理は、第１実施形態と同様である。
【００５２】
Ｓ３５２でＮｏと判定された場合、タッチバー１１４に対してダブルタップ操作がされていない。この場合、ＣＰＵ１０１は、タッチバー１１４に対するスライド操作があったかを判定する（Ｓ３５７）。Ｓ３５７でＹｅｓと判定された場合、ＣＰＵ１０１は、タッチバー１１４に対して行われたスライド操作のスライド方向と反対方向に表示されていないタイムライン画像２２０の領域が続いているかを判定する（Ｓ３５８）。Ｓ３５８でＹｅｓと判定された場合、ＣＰＵ１０１は、カーソル２２２の位置を固定して、タイムライン画像２２０をスライド操作のスライド方向と同じ方向（左方向）にスクロールする（Ｓ３５９）。これにより、スクロールされたタイムライン画像２２０がディスプレイ１０５に表示される。Ｓ３５８でＮｏと判定された場合、Ｓ３５９の処理が行われることなく、フローは、「Ｆ」からＳ３５２に移行する。Ｓ３５７でＮｏと判定された場合、タッチバー１１４に対して、ダブルタップ操作もスライド操作もされていない。ＣＰＵ１０１は、タッチバー１１４以外の操作部材が操作されたかを判定する。Ｓ３６０でＮｏと判定された場合、フローは、「Ｆ」からＳ３５２に移行する。Ｓ３６０でＹｅｓと判定された場合、タイムライン処理は終了する。
【００５３】
図９および図１０は、第２実施形態におけるタッチバー１１４に対するスライド操作がされたときの画面の遷移例を示す図である。図９（Ａ）の状態では、カーソル２２２は、ディスプレイ１０５に表示されているメインライン２２１の中央に位置している。第２実施形態では、カーソル２２２の位置は固定されており、タイムライン画像２２０がスクロールする。図９（Ａ）の状態で、ユーザが、タッチバー１１４に対して左方向のスライド操作を行ったとする。ＣＰＵ１０１は、カーソル２２２の位置を変化させず、ディスプレイ１０５に表示されているタイムライン画像２２０を左方向にスクロールさせる。これにより、ディスプレイ１０５には、図９（Ｂ）に示されるタイムライン画像２２０が表示される。そして、図９（Ｂ）の状態で、ユーザが、タッチバー１１４に対して、左方向にスライド操作を行ったとする。ＣＰＵ１０１は、カーソル２２２の位置を変化させず、ディスプレイ１０５に表示されているタイムライン画像２２０を左方向にスクロールさせる。これにより、ディスプレイ１０５には、図９（Ｃ）に示されるタイムライン画像２２０が表示される。
【００５４】
図９（Ｃ）の状態では、メインライン２２１の最新の区域にカーソル２２２が位置している。つまり、ユーザが、タッチバー１１４に対して左方向のスライド操作を行うことで、カーソル２２２を最新のコンテンツのサムネイル画像の位置まで移動させることができる。タッチバー１１４の左端部１１４Ｂの側の近傍の位置にはテイクボタンとして機能する第２のボタン１１３Ｂが配置されている。従って、ユーザがグリップ１１６を把持している手の親指でタッチバー１１４を左方向にスライド操作することで、カーソル２２２が最新のコンテンツのサムネイル画像の上に位置する。その後、ユーザは、左方向にスライド操作を行った親指をそのままスムーズにテイクボタンとして機能する第２のボタン１１３Ｂに移すことができる。そして、テイクボタンとして機能する第２のボタン１１３Ｂが操作されると、ＣＰＵ１０１は、撮影された新規コンテンツをメインライン２２１に追加する。これにより、非常に良好な操作性で新規コンテンツの撮影を指示することが可能になる。
【００５５】
一方、図９（Ａ）の状態で、ユーザが、タッチバー１１４に対して、右方向にスライド操作を行ったとする。この場合、ＣＰＵ１０１は、カーソル２２２の位置を変化させず、タイムライン画像２２０を右方向にスクロールさせる。これにより、図１０（Ａ）のタイムライン画像２２０がディスプレイ１０５に表示される。図１０（Ａ）の状態で、ユーザが、タッチバー１１４に対して右方向にスライド操作を行ったとする。この場合、ＣＰＵ１０１は、カーソル２２２の位置を変化させず、タイムライン画像２２０を右方向にスクロールさせる。これにより、図１０（Ｂ）のタイムライン画像２２０がディスプレイ１０５に表示される。図１０（Ｂ）の状態では、カーソル２２２は、メインライン２２１の先頭の区域に位置している。
【００５６】
従って、ユーザが、タッチバー１１４に対して右方向のスライド操作を連続して行うと、タイムライン画像２２０の先頭のコンテンツのサムネイル画像、またはそれに至るまでの何れかのサムネイル画像にカーソル２２２を位置させることができる。タッチバー１１４の右端部１１４Ａの側の近傍の位置に配置されている第１のボタン１１３Ａは、リテイクボタンとして機能する。従って、ユーザは、グリップ１１６を把持している手の親指でタッチバー１１４を左方向にスライド操作することで、カーソル２２２をリテイク対象のコンテンツのサムネイル画像の上に位置させることができる。その後、ユーザは、スライド操作を行った親指をそのままスムーズにリテイクボタンとして機能する第１のボタン１１３Ａに移すことができる。リテイクボタンとして機能する第１のボタン１１３Ａが操作されると、再撮影（リテイク）されたコンテンツがテイク軸のうち、メインライン２２１の下側の領域に追加される。以上より、ユーザは、非常に良好な操作性で、再撮影（リテイク）操作を行うことができる。
【００５７】
＜第３実施形態＞
第１実施形態および第２実施形態では、タッチバー１１４に対する操作はスライド操作であったが、第３実施形態では、タッチバー１１４に対する操作は、右端部１１４Ａまたは左端部１１４Ｂに対するタッチ操作である。上述したように、第１のボタン１１３Ａは、テイクボタンとして機能することもでき、リテイクボタンとして機能することもできる。また、第２のボタン１１３Ｂも、テイクボタンとして機能することもでき、リテイクボタンとして機能することもできる。第１のボタン１１３Ａがテイクボタンとして機能し、第２のボタン１１３Ｂがリテイクボタンとして機能する場合、第３実施形態では、図１１（Ａ）のタイムライン処理が実行される。
【００５８】
ＣＰＵ１０１は、タイムライン画像２２０をディスプレイ１０５に表示する（Ｓ６０１）。そして、ＣＰＵ１０１は、タッチバー１１４の右端部１１４Ａまたは左端部１１４Ｂ（左右端部）に対して、タッチ操作があったかを判定する（Ｓ６０２）。Ｓ６０２でＹｅｓと判定された場合、ＣＰＵ１０１は、カーソル２２２がディスプレイ１０５の端部の区域に位置しているかを判定する（Ｓ６０３）。Ｓ６０３でＮｏと判定された場合、ＣＰＵ１０１は、カーソル２２２を、タッチバー１１４にタッチされた端部の方向と同じ方向に移動する（Ｓ６０４）。Ｓ６０３でＹｅｓと判定されたとき、ＣＰＵ１０１は、タイムライン画像２２０の領域が、タッチされたタッチバー１１４の端部の方向と同じ方向に続いているかを判定する（Ｓ６０５）。Ｓ６０５でＹｅｓと判定された場合、ＣＰＵ１０１は、タイムライン画像２２０を、タッチされた端部の方向と反対方向にスクロールしてディスプレイ１０５に表示する（Ｓ６０６）。
【００５９】
Ｓ６０２でＮｏと判定された場合、ＣＰＵ１０１は、タッチバー１１４以外の操作部材が操作されたかを判定する（Ｓ６０７）。Ｓ６０７でＮｏと判定された場合、フローは、「Ｈ」からＳ６０２に移行する。Ｓ６０４の処理が行われた後、およびＳ６０５でＮｏと判定された場合も同様に、フローは、「Ｈ」からＳ６０２に移行する。一方、Ｓ６０７でＹｅｓと判定された場合、タイムライン処理は終了する。
【００６０】
次に、第１のボタン１１３Ａがリテイクボタンとして機能し、第２のボタン１１３Ｂがテイクボタンとして機能する場合について説明する。この場合、図１１（Ｂ）のタイムライン処理が実行される。ＣＰＵ１０１は、タイムライン画像２２０をディスプレイ１０５に表示する（Ｓ６１１）。そして、ＣＰＵ１０１は、タッチバー１１４の右端部１１４Ａまたは左端部１１４Ｂに対してタッチ操作があったかを判定する（Ｓ６１２）。Ｓ６１２でＹｅｓと判定された場合、ＣＰＵ１０１は、タイムライン画像２２０の領域が、タッチされた端部の方向と反対方向に続いているかを判定する（Ｓ６１３）。Ｓ６１３でＹｅｓと判定された場合、ＣＰＵ１０１は、タイムライン画像２２０を、タッチされた端部の方向と同じ方向にスクロールする（Ｓ６１４）。これにより、スクロールされたタイムライン画像２２０がディスプレイ１０５に表示する。
【００６１】
Ｓ６１２でＮｏと判定された場合、ＣＰＵ１０１は、タッチバー１１４以外の操作部材が操作されたかを判定する（Ｓ６１５）。Ｓ６１５でＮｏと判定された場合、フローは、「Ｉ」からＳ６１２に移行する。Ｓ６１３でＮｏと判定された場合およびＳ６１４の処理が行われた場合も同様に、フローは、「Ｉ」からＳ６１２に移行する。Ｓ６１５でＹｅｓと判定された場合、タイムライン処理は終了する。
【００６２】
第３実施形態では、タッチバー１１４の右端部１１４Ａまたは左端部１１４Ｂに対するタッチ操作により、カーソル２２２を、メインライン２２１における任意の区域に位置させることができる。例えば、上記タッチ操作により、メインライン２２１における先頭の区域および最新の区域を含む任意の区域にカーソル２２２を位置させることができる。ユーザは、親指でタッチバー１１４の右端部１１４Ａまたは左端部１１４Ｂに対してタッチ操作を行い、そのまま親指をスムーズに第１のボタン１１３Ａまたは第２のボタン１１３Ｂに移すことができる。第３実施形態では、第１実施形態および第２実施形態のスライド操作に加えて、タッチバー１１４の右端部１１４Ａまたは左端部１１４Ｂに対するタッチ操作により、カーソル２２２を所望の区域に位置させることができる。これにより、新規コンテンツの撮影または撮影済みコンテンツの再撮影を、さらに良好な操作性で行うことができる。
【００６３】
以上、本発明の好ましい実施の形態について説明したが、本発明は上述した各実施の形態に限定されず、その要旨の範囲内で種々の変形及び変更が可能である。本発明は、上述の各実施の形態の１以上の機能を実現するプログラムを、ネットワークや記録媒体を介してシステムや装置に供給し、そのシステム又は装置のコンピュータの１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００６４】
１００    撮像装置
１０１    ＣＰＵ
１０５    ディスプレイ
１１０    撮影部
１１０Ａ  撮影レンズ
１１３Ａ  第１のボタン
１１３Ｂ  第２のボタン
１１４    タッチバー
１１６    グリップ
【図１】
2020181099.tif 000003
【図２】
2020181099.tif 000004
【図３】
2020181099.tif 000005
【図４】
2020181099.tif 000006
【図５】
2020181099.tif 000007
【図６】
2020181099.tif 000008
【図７】
2020181099.tif 000009
【図８】
2020181099.tif 000010
【図９】
2020181099.tif 000011
【図１０】
2020181099.tif 000012
【図１１】
2020181099.tif 000013